(57)【要約】【課題】本発明は、ＩＰ端末装置の設置場所を特定する情報を特番ダイヤルに付加することにより、ＩＰ電話網またはインターネット網経由で最寄りの警察または消防本部または天気予報情報サーバ等に接続できる、ＩＰ端末装置及びネットワーク装置を提供できる。【解決手段】本発明のＩＰ端末装置は、特番ダイヤルへの発呼要求を検出する特番ダイヤル発呼要求検出手段と、設置場所を特定する情報を登録する情報登録手段と、設置場所を特定する情報をＩＰパケット化するＩＰパケット化手段とを有している。【選択図】        図２
2004320099.tif 000002
【特許請求の範囲】
【請求項１】
特番ダイヤルへの発呼要求を検出する特番ダイヤル発呼要求検出手段と、設置場所を特定する情報を登録する情報登録手段と、設置場所を特定する情報をＩＰパケット化するＩＰパケット化手段とを有し、前記特番ダイヤル発呼要求検出手段により特番ダイヤルへの発呼要求を検出した場合、特番ダイヤル番号と設置場所を特定する情報とを前記ＩＰパケット化手段によりＩＰパケット化して送信することを特徴とするＩＰ端末装置。
【請求項２】
設置場所を特定する情報は、電話公衆網における市外局番、又は接続先の収容局の電話局コードである請求項１のＩＰ端末装置。
【請求項３】
接続先の収容局のルータに対して、前記市外局番又は前記電話局コードを問い合わせる問合せ手段と、問い合わせの結果返答のあった前記市外局番又は前記電話局コードを自端末に自動的に登録する手段とを備えた請求項２記載のＩＰ端末装置。
【請求項４】
前記問合せ手段は、電源が入った時に自動的に問い合わせを行う請求項３記載のＩＰ端末装置。
【請求項５】
設置場所を特定する情報は、郵便番号、又は住所に基づいた地域コード、あるいは緯度、経度である請求項１記載のＩＰ端末装置。
【請求項６】
緯度、経度の情報を自動取得する手段と、取得した経度、経度の情報を自端末に自動的に登録する手段とを備えた請求項５記載のＩＰ端末装置。
【請求項７】
設置場所を特定する情報のない特番ダイヤルを受信したことを判定する判定手段と、収容局の設置場所等の情報を登録する登録手段と、設置場所を特定する情報のない特番ダイヤル発信に対しては収容局の設置場所等の情報を付加する手段とを備えたネットワーク装置を有する請求項１〜６のいずれかに記載のＩＰ端末装置。
【請求項８】
ルータ等のネットワーク装置からの問い合わせに対して、電話番号をＩＰアドレスに変換して前記ネットワーク装置に通知返答するゲートキーパ等のネットワーク装置であって、特番ダイヤルを判定する判定手段と、前記特番ダイヤルに付加されている設置場所を特定する情報を解析する解析手段と、設置場所を特定する情報に基づいたＩＰアドレスを通知返答する手段とを備えたネットワーク装置を有する請求項１〜７のいずれかに記載のＩＰ端末装置。
【請求項９】
設置場所を特定する情報のない特番ダイヤルを受信したことを判定する判定手段と、収容局の設置場所等の情報を登録する登録手段と、設置場所を特定する情報のない特番ダイヤル発信に対しては収容局の設置場所等の情報を付加する手段とを備えたことを特徴とするネットワーク装置。
【請求項１０】
ルータ等のネットワーク装置からの問い合わせに対して、電話番号をＩＰアドレスに変換して前記ネットワーク装置に通知返答するゲートキーパ等のネットワーク装置において、
特番ダイヤルを判定する判定手段と、前記特番ダイヤルに付加されている設置場所を特定する情報を解析する解析手段と、設置場所を特定する情報に基づいたＩＰアドレスを通知返答する手段とを備えたことを特徴とするネットワーク装置。
【発明の詳細な説明】
【０００１】
【発明の属する技術分野】
本発明はＩＰ端末装置及びネットワーク装置に関し、詳細にはＩＰ電話網またはインターネット網における特番ダイヤル接続方法に関する。
【０００２】
【従来の技術】
【特許文献１】特許第３，１３９，６２３号明細書
【特許文献２】特開２００１−２５１４６７号公報
従来のインターネット電話システムにおいて、上記特許文献１に記載されているように、複数のＩＰ（Ｉｎｔｅｒｎｅｔ  Ｐｒｏｔｏｃｏｌ）電話装置のそれぞれからの接続要求が緊急ラインへの接続要求の場合には、ＩＰ電話番号識別装置が、その呼を記憶しておくとともにその接続要求をＩＰ電話受信／発信装置および電話接続装置を介して一般電話回線網へ直接接続するシステムとなっている。従って、接続されている通信回線が緊急ラインである場合には何らかの理由で通信回線が切断された場合でも元の通信回線を再接続することができ、一般電話回線網の回線品質と同程度の回線品質で緊急ラインの接続が可能となっている。
【０００３】
また、上記特許文献２によれば、ＩＰ電話装置やインターネット電話の従来技術において、特番ダイヤル（１１０番：警察、１１９番：消防などの緊急通報、１７７番：天気予報等の１で始まる３桁の番号、但し、日本の場合）に発呼した場合、発信元の位置、地域等が特定されないため、どこへ接続したらいいかがわからなかった。そのため、現在のＩＰ電話装置においても、特番ダイヤルに関しては、一般公衆回線経由で接続を行っている。なお、上記特許文献１でも、緊急通報の場合には、一般公衆回線に接続するようにしている。
【０００４】
【発明が解決しようとする課題】
しかしながら、最近では通信料金や設備費などのコストが安いＩＰ電話装置やインターネット電話の需要が多くなってきて、一般公衆回線に置き換わろうとしている。将来、一般公衆回線を全てＩＰ網やインターネット網に置き換えた場合、緊急通報を含む特番ダイヤルに対してどう対処するかが問題になっている。
【０００５】
本発明はこれらの問題点に鑑み、ＩＰ端末装置の設置場所を特定する情報を特番ダイヤルに付加することにより、ＩＰ電話網またはインターネット網経由で最寄りの警察または消防本部または天気予報情報サーバ等に接続できる、ＩＰ端末装置及びネットワーク装置を提供することを目的とする。
【０００６】
【課題を解決するための手段】
前記問題点を解決するために、本発明のＩＰ端末装置は、特番ダイヤルへの発呼要求を検出する特番ダイヤル発呼要求検出手段と、設置場所を特定する情報を登録する情報登録手段と、設置場所を特定する情報をＩＰパケット化するＩＰパケット化手段とを有している。そして、特番ダイヤル発呼要求検出手段により特番ダイヤルへの発呼要求を検出した場合、特番ダイヤル番号と設置場所を特定する情報とをＩＰパケット化手段によりＩＰパケット化して送信する。よって、ＩＰ電話網またはインターネット網経由で特番ダイヤルを発呼しても、最寄りの警察（または消防）本部または天気予報情報サーバ等に接続できる。
【０００７】
また、設置場所を特定する情報は、電話公衆網における市外局番、又は接続先の収容局の電話局コードであることが好ましい。また、本発明のＩＰ端末装置は、接続先の収容局のルータに対して、市外局番又は前記電話局コードを問い合わせる問合せ手段と、問い合わせの結果返答のあった市外局番又は電話局コードを自端末に自動的に登録する手段とを備えている。よって、自動登録することにより、初期登録や移転後の登録など登録忘れを防止することができる。
【０００８】
更に、問合せ手段は、電源が入った時に自動的に問い合わせを行うことにより、頻繁に問合せを行う必要がなくなる。
【０００９】
また、設置場所を特定する情報は、郵便番号、又は住所に基づいた地域コード、あるいは緯度、経度であることにより、ＩＰ電話網またはインターネット網経由で特番ダイヤルを発呼しても、最寄りの警察（または消防）本部または天気予報情報サーバ等に接続できる。
【００１０】
更に、緯度、経度の情報を自動取得する手段と、取得した経度、経度の情報を自端末に自動的に登録する手段とを備えたことにより、初期登録や移転後の登録など登録忘れを防止することができる。
【００１１】
また、設置場所を特定する情報のない特番ダイヤルを受信したことを判定する判定手段と、収容局の設置場所等の情報を登録する登録手段と、設置場所を特定する情報のない特番ダイヤル発信に対しては収容局の設置場所等の情報を付加する手段とを備えたネットワーク装置を有するので、ＩＰ電話網またはインターネット網経由で特番ダイヤルを発呼しても、最寄りの警察（または消防）本部または天気予報情報サーバ等に接続できる。
【００１２】
更に、ルータ等のネットワーク装置からの問い合わせに対して、電話番号をＩＰアドレスに変換してネットワーク装置に通知返答するゲートキーパ等のネットワーク装置であって、特番ダイヤルを判定する判定手段と、特番ダイヤルに付加されている設置場所を特定する情報を解析する解析手段と、設置場所を特定する情報に基づいたＩＰアドレスを通知返答する手段とを備えたネットワーク装置を有するので、ルータ等のネットワーク装置からの問合せに対して、最寄りの警察（または消防）本部または天気予報情報サーバ等のＩＰアドレスを通知返答することができる。
【００１３】
また、別の発明としてのネットワーク装置は、設置場所を特定する情報のない特番ダイヤルを受信したことを判定する判定手段と、収容局の設置場所等の情報を登録する登録手段と、設置場所を特定する情報のない特番ダイヤル発信に対しては収容局の設置場所等の情報を付加する手段とを備えたことに特徴がある。よって、このような構成を有するネットワーク装置をＩＰ端末装置に設けることで、ＩＰ電話網またはインターネット網経由で特番ダイヤルを発呼しても、最寄りの警察（または消防）本部または天気予報情報サーバ等に接続できるようになる。
【００１４】
更に、別の発明としての、ルータ等のネットワーク装置からの問い合わせに対して、電話番号をＩＰアドレスに変換してネットワーク装置に通知返答するゲートキーパ等のネットワーク装置は、特番ダイヤルを判定する判定手段と、特番ダイヤルに付加されている設置場所を特定する情報を解析する解析手段と、設置場所を特定する情報に基づいたＩＰアドレスを通知返答する手段とを備えたことに特徴がある。よって、このような構成を有するネットワーク装置をＩＰ端末装置に設けることで、ルータ等のネットワーク装置からの問合せに対して、最寄りの警察（または消防）本部または天気予報情報サーバ等のＩＰアドレスを通知返答することができるようになる。
【００１５】
【発明の実施の形態】
本発明のＩＰ端末装置は、特番ダイヤルへの発呼要求を検出する特番ダイヤル発呼要求検出手段と、設置場所を特定する情報を登録する情報登録手段と、設置場所を特定する情報をＩＰパケット化するＩＰパケット化手段とを有している。
【００１６】
【実施例】
図１は本発明の一実施例に係るＩＰ端末装置を適用するネットワークの構成を示すブロック図である。同図に示すネットワークは、主に、特番発呼元である発信局１０と、最寄りの警察等の緊急局である受信局２０と、発信局１０と受信局２０との間に存在する例えばＩＰ電話網やインターネット等の通信回線網３０とを有して構成されている。また、発信局１０は、ネットワーク上に直接接続できＩＰパケットで音声をやり取りできるＩＰ電話装置１１と、通常のアナログ電話である一般電話機１２と、一般電話機１２からのアナログ音声をデジタル化して、パケット化してヘッダを付け、ＩＰ網またはインターネット等の通信回線網３０を通るパケットデータに変換するアダプタであって、パケット受信時はアナログ音声に逆変換して一般電話に信号を送るＶｏＩＰアダプタ１３と、複数のネットワークを接続し、相互にパケットをやりとりできるようにするためのネットワーク装置であるルータ１４とを有している。なお、図示していないが、発信局１０は、ＩＰパケットを解析して設置場所を特定する情報のない特番ダイヤル発信に対しては収容局の設置場所を特定する情報を付加する手段を備えている。更に、受信局２０も発信局１０と同様に、ＩＰ電話装置２１と、一般電話機２２と、ＶｏＩＰアダプタ２３と、ルータ２４とを有している。また、通信回線網３０は、各ルータ１４，２４から問い合わせがあった送信先電話番号を解析して対応するＩＰアドレスに変換してルータに戻すネットワーク装置であるゲートキーパ３１を有している。このゲートキーパ３１により、送信先電話番号に対応したＩＰアドレスが存在すればそれを通知すると共に、解析の結果特番ダイヤルの場合、それに付加されている設置場所を特定する情報を解析して、設置場所と特番ダイヤルの番号から最適なＩＰアドレスを選択してルータ１４，２４に返答する。通信回線網３０は、ＩＰ電話専用の音声パケットを通す、専用ＩＰ網であるＩＰ電話網又は一般のＩＰ網であるインターネットで構成される回線網である。
【００１７】
図２は本発明の一実施例に係るＩＰ端末装置の構成を示すブロック図である。同図において、本実施例のＩＰ端末装置１００は、全体の制御を司るＣＰＵ１０１、ＲＯＭ１０２、制御プログラムが格納されているＲＡＭ１０３、設置場所を特定する情報の登録を行うなどの操作を行い、かつ情報を表示する操作表示部１０４、ハンドセット１０５、ネットワーク制御部１０６、設置場所を特定するものとして市外局番、接続先の収容局の電話局コード、郵便番号、住所に基づいた地域コード、緯度・経度等の情報が登録されている情報登録部１０７、ＩＰパケットを解析してルーティングを行ったり、特番ダイヤル発呼かどうかを判定したりするＩＰパケット解析・生成部１０８及び自動的に緯度・経度情報を取得するＧＰＳ部１０９を含んで構成されている。また、各構成部のそれぞれはシステムバス１１０を介して接続されている。更に、ネットワーク制御部１０６は、ＩＰ電話網又はインターネット網等の通信回線網１２０に接続されている。
【００１８】
図３は図１のＶｏＩＰアダプタの構成を示すブロック図である。同図に示すＶｏＩＰアダプタ２００は、全体の制御を司るＣＰＵ２０１、ＲＯＭ２０２、制御プログラムが格納されているＲＡＭ２０３、操作表示部２０４、ネットワーク制御部２０５、情報登録部２０６、ＩＰパケット生成部２０７、ＧＰＳ部２０８及び一般電話線２１１との通信を司る通信制御部２０９を含んで構成されている。また、各構成部のそれぞれはシステムバス２１０を介して接続されている。
【００１９】
図４は図１のルータの構成を示すブロック図である。同図に示すルータ３００は、全体の制御を司るＣＰＵ３０１、ＲＯＭ３０２、制御プログラムが格納されているＲＡＭ３０３、操作表示部３０４、ネットワーク制御部３０５、情報登録部３０６、ＩＰパケット解析・生成部３０７及びルーティングの制御を行うルーティング制御部３０８を含んで構成されている。また、各構成部のそれぞれはシステムバス３０９を介して接続されている。
【００２０】
図５は図１のゲートキーパの構成を示すブロック図である。同図に示すゲートキーパ４００は、全体の制御を司るＣＰＵ４０１、ＲＯＭ４０２、制御プログラムが格納されているＲＡＭ４０３、操作表示部４０４、ネットワーク制御部４０５、ＩＰパケット解析・生成部４０６、電話番号−ＩＰアドレス変換部４０７及び特番ダイヤル・設置場所情報解析部４０８を含んで構成されている。また、各構成部のそれぞれはシステムバス４０９を介して接続されている。更に、電話番号−ＩＰアドレス変換部４０７は、電話番号をＩＰアドレスに変換し、また電話番号が特番ダイヤルの場合には設置場所情報と合わせて最適なＩＰアドレスを選択する。また、特番ダイヤル・設置場所情報解析部４０８は、ＩＰパケットを解析して、特番ダイヤルの場合はここでダイヤル番号と設置場所情報とを解析し、解析結果を電話番号−ＩＰアドレス変換部４０７に送る。
【００２１】
次に、本発明のＩＰ端末装置を用いた基本的な発呼動作ついて図６に示す動作フローに従って説明する。
同図において、はじめに、操作表示部等から発呼要求があった場合（ステップＳ１０１；ＹＥＳ）、その発呼が特番ダイヤルかどうかを図２のＣＰＵ１０１にて判断する（ステップＳ１０２）。特番ダイヤルでない場合は（ステップＳ１０２；ＮＯ）発呼要求のあった電話番号をＩＰパケット化する（ステップＳ１０３）。一方、特番ダイヤルの場合には（ステップＳ１０２；ＹＥＳ）、設置場所を特定する情報登録部１０７から、設置場所情報を特定する情報を読み出してＩＰパケット化し（ステップＳ１０４）、特番ダイヤルの番号もＩＰパケット化する（ステップＳ１０５）。その他の情報も付加してＩＰパケットを生成し、接続先の収容局のルータにデータを転送する（ステップＳ１０６）。収容局のルータはゲートキーパに対して電話番号のパケットと設置場所情報を特定するパケットを転送通知する（ステップＳ１０７）。ゲートキーパは図５のＩＰパケット解析部／生成部４０６にてこのパケットを解析する（ステップＳ１０８）。そして、解析した結果特番ダイヤルでない場合には（ステップＳ１０９；ＮＯ）、図５の電話番号−ＩＰアドレス変換部４０７で発呼要求のあったダイヤル番号に対するＩＰアドレスをルータ・発信元に通知する（ステップＳ１１０）。一方、特番ダイヤルの場合には（ステップＳ１０９；ＹＥＳ）、図５の特番ダイヤル・設置場所情報解析部４０８にて、特番ダイヤルの番号と設置場所情報とを解析して最適な接続先を選択し、最適なＩＰアドレスをルータ・発信元に通知する（ステップＳ１１１）。なお、基本的には設置場所情報から考えて、最寄りの接続先を選択する。そして、ＩＰ端末装置は通知を受けたＩＰアドレスに対して、音声パケットを送信し、通信を行う（ステップＳ１１２）。
【００２２】
次に、ＩＰ端末装置にて設置場所情報を特定する情報の機能が無かった場合、また機能はあるがその内容がなかった場合に、収容局のルータにてその収容局の設置場所情報を特定する情報を付加する動作について当該動作フローを示す図７に従って説明する。
【００２３】
同図において、はじめに、操作表示部等から発呼要求があった場合（ステップＳ２０１；ＹＥＳ）、その発呼が特番ダイヤルかどうかを図４のＣＰＵ３０１にて判断する（ステップＳ２０２）。特番ダイヤルでない場合は（ステップＳ２０２；ＮＯ）発呼要求のあった電話番号をＩＰパケット化する（ステップＳ２０３）。一方、特番ダイヤルの場合には（ステップＳ２０２；ＹＥＳ）、ＩＰ端末装置にて設置場所情報を特定する情報の機能が無かったり、また機能はあるがその内容が無かった場合（ステップＳ２０４）、発呼要求のあった特番ダイヤルの番号をＩＰパケット化する（ステップＳ２０５）。その他の情報も付加してＩＰパケットを生成し、接続先の収容局のルータにデータを転送する（ステップＳ２０６）。収容局のルータは図４のＩＰパケット解析・生成部３０７によりＩＰパケットを解析し、特番ダイヤル発呼かを判定する（ステップＳ２０７）。そして、解析した結果特番ダイヤルでない場合には（ステップＳ２０８；ＮＯ）、収容局のルータはゲートキーパに対して電話番号のパケットと設置場所情報を特定するパケットを転送通知する（ステップＳ２１１）。一方、特番ダイヤルである場合には（ステップＳ２０８；ＹＥＳ）、設置場所を特定する情報があるか否かを判定する（ステップＳ２０９）。情報が有れば（ステップＳ２０９；ＹＥＳ）収容局のルータはゲートキーパに対して電話番号のパケットと設置場所情報を特定するパケットを転送通知する（ステップＳ２１１）。無ければ（ステップＳ２０９；ＮＯ）収容局のルータは設置場所情報を特定する情報を読み出してＩＰパケット化し（ステップＳ２１０）、ゲートキーパに対して電話番号のパケットと設置場所情報を特定するパケットを転送通知する（ステップＳ２１１）。そして、ゲートキーパは図５のＩＰパケット解析・生成部４０６にてこのパケットを解析する（ステップＳ２１２）。そして、解析した結果特番ダイヤルでない場合には（ステップＳ２１３；ＮＯ）、図５の電話番号−ＩＰアドレス変換部４０７で発呼要求のあったダイヤル番号に対するＩＰアドレスをルータ・発信元に通知する（ステップＳ２１４）。一方、特番ダイヤルの場合には（ステップＳ２１３；ＹＥＳ）、図５の特番ダイヤル・設置場所情報解析部４０８にて、特番ダイヤルの番号と設置場所情報とを解析して最適な接続先を選択し、最適なＩＰアドレスをルータ・発信元に通知する（ステップＳ２１５）。そして、ＩＰ端末装置は通知を受けたＩＰアドレスに対して、音声パケットを送信し、通信を行う（ステップＳ２１６）。
【００２４】
次に、操作表示部から問い合わせ要求があった場合の動作について当該動作フローを示す図８に従って説明する。なお、操作表示部から問い合わせ要求があったならば、また定期的に要求しても構わないし、電源が入ったときに一度だけ問い合わせを行っても構わない。同図において、はじめに操作表示部から問い合わせ要求があったならば（ステップＳ３０１；ＹＥＳ）、収容局のルータに対して、市外局番または電話局コードを問い合わせるＩＰパケットをＩＰパケット生成部で作成し送信する（ステップＳ３０２）。収容局のルータは問い合わせパケットを受信したならば、設置場所を特定する図４の情報登録部３０６から市外局番または電話局コードを読み出し、ＩＰパケットを返す（ステップＳ３０３）。ＩＰ端末は問い合わせの返答パケットを受信したならば、ＩＰパケット解析部・生成部３０７にてＩＰパケットを解析し、市外局番または電話局コードを自端末の設置場所を特定する情報登録部３０６に自動登録する（ステップＳ３０４）。
【００２５】
なお、本発明は上記実施例に限定されるものではなく、特許請求の範囲内の記載であれば多種の変形や置換が可能であることは言うまでもない。
【００２６】
【発明の効果】
以上説明したように、本発明のＩＰ端末装置は、特番ダイヤルへの発呼要求を検出する特番ダイヤル発呼要求検出手段と、設置場所を特定する情報を登録する情報登録手段と、設置場所を特定する情報をＩＰパケット化するＩＰパケット化手段とを有している。そして、特番ダイヤル発呼要求検出手段により特番ダイヤルへの発呼要求を検出した場合、特番ダイヤル番号と設置場所を特定する情報とをＩＰパケット化手段によりＩＰパケット化して送信する。よって、ＩＰ電話網またはインターネット網経由で特番ダイヤルを発呼しても、最寄りの警察（または消防）本部または天気予報情報サーバ等に接続できる。
【００２７】
また、設置場所を特定する情報は、電話公衆網における市外局番、又は接続先の収容局の電話局コードであることが好ましい。また、本発明のＩＰ端末装置は、接続先の収容局のルータに対して、市外局番又は前記電話局コードを問い合わせる問合せ手段と、問い合わせの結果返答のあった市外局番又は電話局コードを自端末に自動的に登録する手段とを備えている。よって、自動登録することにより、初期登録や移転後の登録など登録忘れを防止することができる。
【００２８】
更に、問合せ手段は、電源が入った時に自動的に問い合わせを行うことにより、頻繁に問合せを行う必要がなくなる。
【００２９】
また、設置場所を特定する情報は、郵便番号、又は住所に基づいた地域コード、あるいは緯度、経度であることにより、ＩＰ電話網またはインターネット網経由で特番ダイヤルを発呼しても、最寄りの警察（または消防）本部または天気予報情報サーバ等に接続できる。
【００３０】
更に、緯度、経度の情報を自動取得する手段と、取得した経度、経度の情報を自端末に自動的に登録する手段とを備えたことにより、初期登録や移転後の登録など登録忘れを防止することができる。
【００３１】
また、設置場所を特定する情報のない特番ダイヤルを受信したことを判定する判定手段と、収容局の設置場所等の情報を登録する登録手段と、設置場所を特定する情報のない特番ダイヤル発信に対しては収容局の設置場所等の情報を付加する手段とを備えたネットワーク装置を有するので、ＩＰ電話網またはインターネット網経由で特番ダイヤルを発呼しても、最寄りの警察（または消防）本部または天気予報情報サーバ等に接続できる。
【００３２】
更に、ルータ等のネットワーク装置からの問い合わせに対して、電話番号をＩＰアドレスに変換してネットワーク装置に通知返答するゲートキーパ等のネットワーク装置であって、特番ダイヤルを判定する判定手段と、特番ダイヤルに付加されている設置場所を特定する情報を解析する解析手段と、設置場所を特定する情報に基づいたＩＰアドレスを通知返答する手段とを備えたネットワーク装置を有するので、ルータ等のネットワーク装置からの問合せに対して、最寄りの警察（または消防）本部または天気予報情報サーバ等のＩＰアドレスを通知返答することができる。
【００３３】
また、別の発明としてのネットワーク装置は、設置場所を特定する情報のない特番ダイヤルを受信したことを判定する判定手段と、収容局の設置場所等の情報を登録する登録手段と、設置場所を特定する情報のない特番ダイヤル発信に対しては収容局の設置場所等の情報を付加する手段とを備えたことに特徴がある。よって、このような構成を有するネットワーク装置をＩＰ端末装置に設けることで、ＩＰ電話網またはインターネット網経由で特番ダイヤルを発呼しても、最寄りの警察（または消防）本部または天気予報情報サーバ等に接続できるようになる。
【００３４】
更に、別の発明としての、ルータ等のネットワーク装置からの問い合わせに対して、電話番号をＩＰアドレスに変換してネットワーク装置に通知返答するゲートキーパ等のネットワーク装置は、特番ダイヤルを判定する判定手段と、特番ダイヤルに付加されている設置場所を特定する情報を解析する解析手段と、設置場所を特定する情報に基づいたＩＰアドレスを通知返答する手段とを備えたことに特徴がある。よって、このような構成を有するネットワーク装置をＩＰ端末装置に設けることで、ルータ等のネットワーク装置からの問合せに対して、最寄りの警察（または消防）本部または天気予報情報サーバ等のＩＰアドレスを通知返答することができるようになる。
【図面の簡単な説明】
【図１】本発明の一実施例に係るＩＰ端末装置を適用するネットワークの構成を示すブロック図である。
【図２】本発明の一実施例に係るＩＰ端末装置の構成を示すブロック図である。
【図３】図１のＶｏＩＰアダプタの構成を示すブロック図である。
【図４】図１のルータの構成を示すブロック図である。
【図５】図１のゲートキーパの構成を示すブロック図である。
【図６】本発明のＩＰ端末装置を用いた基本的な発呼動作を示すフローチャートである。
【図７】ＩＰ端末装置にて設置場所情報を特定する情報の機能が無かった場合、また機能はあるがその内容がなかった場合に、収容局のルータにてその収容局の設置場所情報を特定する情報を付加する動作を示すフローチャートである。
【図８】問い合わせ要求があった場合の動作を示すフローチャートである。
【符号の説明】
１０；発信局、２０；受信局、３０；通信回線網、
１１，２１；ＩＰ電話装置、１２，２２；一般電話機、
１３，２３；ＶｏＩＰアダプタ、１００；ＩＰ端末装置、
１０１；ＣＰＵ、１０２；ＲＯＭ、１０３；ＲＡＭ、
１０４；操作表示部、１０５；ハンドセット、
１０６；ネットワーク制御部、１０７；情報登録部、
１０８；ＩＰパケット解析・生成部、１０９；ＧＰＳ部、
１１０；システムバス、１２０；通信回線網。
【図１】
2004320099.tif 000003
【図２】
2004320099.tif 000004
【図３】
2004320099.tif 000005
【図４】
2004320099.tif 000006
【図５】
2004320099.tif 000007
【図６】
2004320099.tif 000008
【図７】
2004320099.tif 000009
【図８】
2004320099.tif 000010